【手続補正書】
【提出日】令和2年2月7日(2020.2.7)
【手続補正１】
【補正対象書類名】明細書
【補正対象項目名】全文
【補正方法】変更
【補正の内容】
【発明の詳細な説明】
【発明の名称】施解錠装置
【技術分野】
【０００１】
本発明は、施解錠装置に関する。
【背景技術】
【０００２】
リモコンキーやカード、携帯電話、スマートフォンなどの無線通信端末を合鍵として、施解錠装置の解錠を行ういわゆる電気錠では、機械的な合鍵（キー）を用いることで、シリンダ錠に対して操作を行うことで解錠および施錠を行うことができる（特許文献１，２参照）。すなわち、この電気錠では、上記カードや端末が持つ固有の信号を解錠信号とし、この特定の認証信号を解錠制御の信号としてモーターを駆動させてデッドボルトの進退動作を行うとともに、使用者の合鍵によるシリンダ錠の動作によるデッドボルトの進退動作が可能となっている。これにより、通常時は電気信号にて駆動して施解錠が行われているが、その信号の送受や制御、モーター駆動は扉内に配設される電池を駆動源としており、その電源である電池が電池切れとなった場合には、使用者の合鍵を用いることで機械的に解錠操作を行い、非常時や緊急時の開扉を行うことができるものである。
【先行技術文献】
【特許文献】
【０００３】
【特許文献１】特開平１１−２２９６８５号公報
【特許文献２】特開２００６−１０４８８８号公報
【発明の概要】
【発明が解決しようとする課題】
【０００４】
しかしながら、近年、扉のデザイン性を高める必要から、鍵孔の存在、さらにはシリンダ錠自体を不要としたい要請がある。特に、鍵孔を具備するシリンダ錠は、デッドボルトの進退に機械的に連動連結しており、レバーハンドルなどの扉開閉操作部材に近接して設ける必要があり、扉としての意匠性を向上させるには扉表面から隠したい。鍵孔を隠す構成としては、蓋体を設けることも考えられるが、蓋体を取り付けるためのハンドル周りのエスカチオン（台座部材）をも不要としたい場合もある。そのため、シリンダ錠を無くし、非接触型受信部（例えばカードリーダー）とハンドルのみの構成としたいが、扉に内蔵される電池が電池切れの場合には解錠が不能となってしまうことから、電池切れによる開扉不能な扉は壊す他なくなる。一方で、非接触型受信部のカバー等を取り外して直接給電することも考えられるが、別体構成のカバーを取り外せばカバー自体の紛失の心配もある。さらには、そのカバーを外すことで露出する内部の基板やアンテナ等の電子部品を損傷する虞もある。
【０００５】
本発明は上記状況に鑑みてなされたもので、その目的は、扉の意匠性を向上させながら、電池切れとなった場合においても電気錠の解錠を可能とし、しかも、紛失の生じ易い別体のカバーも不要にできる施解錠装置を提供することにある。
【課題を解決するための手段】
【０００６】
次に、上記の課題を解決するための手段を、実施の形態に対応する図面を参照して説明する。
本発明の請求項１記載の施解錠装置１１は、扉１３に取り付けられて電気信号に基づき施解錠駆動される施解錠機構部２３と、
前記扉１３の扉面１９に前面３５を表出するとともに、前記扉面１９から突出する方向に進退自在となって前記扉１３に支持され、前記電気信号の送受を行うユニット３３と、
前記扉面１９から前記ユニット３３が突出することにより表出する前記ユニット３３の隠蔽部６９に取り付けられて前記電気信号を送受する電気回路に接続される電気的接点７１と、
を具備することを特徴とする。
【０００７】
この施解錠装置１１では、ユニット３３により施解錠機構部２３の施解錠駆動が可能となるので、シリンダ錠は不要であり鍵孔を扉面１９に表出させる必要がなくなり、スッキリとしたデザインが可能となる。すなわち、扉面１９には、ユニット３３の表面とレバーハンドルなどの操作部材のみの配置となり、鍵孔やエスカチオンを不要としてデザイン自由度が増す。また、この鍵孔を覆う蓋体等も不要となる。電池切れ時や、停電時には、ユニット３３を扉面１９から手前に引き出し、表出させた隠蔽部６９の電気的接点７１を介して電気信号や電源を送り、施解錠機構部２３を解錠可能な状態に電気駆動できる。ユニット３３は、引き出すことにより隠蔽部６９の電気的接点７１のみを表出させるので、損傷の生じやすい基板４１やアンテナ等の電子部品を表出させずに済む。また、これらを覆うための別体構造のカバーも必要ないので、カバーを紛失することもない。
【０００８】
本発明の請求項２記載の施解錠装置１１は、請求項１記載の施解錠装置であって、
前記ユニット３３が、ケース３９を介して前記扉１３に取り付けられ、
扉面１９から前記ユニット３３が突出することにより前記隠蔽部６９が前記ケース３９から表出することを特徴とする。
【０００９】
この施解錠装置１１では、ユニット３３がケース３９に取り付けられることから、ユニット３３を進退させる構造を、ユニット３３とケース３９との間に形成することができる。そのため、扉１３に対してユニット３３を進退させる構造を設ける必要がなくなる。これにより、扉面１９に対して進退自在なユニット３３を、容易に扉１３に取り付けできる。
【００１０】
本発明の請求項３記載の施解錠装置１１は、請求項１または２に記載の施解錠装置であって、
前記電気的接点７１が、前記ユニット３３に給電する電源に接続されることを特徴とする。
【００１１】
この施解錠装置１１では、電池切れや停電時における施解錠機構部２３の作動停止に対し、電源に直接給電することが可能となる。この給電は、ユニット３３或いは施解錠機構部２３へ電源を供給するのみとすることができる。すなわち、不用意に施解錠機構部２３が解錠されることがない。従って、使用者の正規の解錠操作によらなければ、解錠されることがない。つまり、電池切れや停電により作動停止状態となっていたカード認証機能等を復活させて、施解錠動作が正常に行える状態に戻すことができる。
【００１２】
なお、本発明の施解錠装置は、前記ユニット３３が、前記扉１３との間に設けられた付勢部材（バネ）５３により後退方向に付勢されることとしてもよい。
【００１３】
この施解錠装置１１では、扉面１９に対して進退自在となるユニット３３が、付勢部材５３の付勢力により、隠蔽部６９が隠れる後退位置に常に保持される。この後退位置に保持されたユニット３３は、表出している側面前部３７が手指等により挟まれて付勢力に抗して手前に引っ張られることにより、隠蔽部６９が表出可能となる。手前に引き出されたユニット３３は、手指等による挟持を解除すれば、再び後退位置となり、隠蔽部６９が隠れることになる。
【００１４】
この施解錠装置によれば、付勢部材５３の付勢力によって、通常状態でユニット３３の隠蔽部６９を扉内方などの隠れる後退位置に配置させることができ、簡素な構造で電気的接点に対する悪戯を抑制できる。
【００１５】
また、本発明の施解錠装置１１は、前記ケース３９に化粧枠７９が形成され、前記化粧枠７９が前記ユニット３３の前記隠蔽部６９を覆うこととしてもよい。
【００１６】
この施解錠装置１１では、ユニット３３を進退自在に支持するケース３９に、化粧枠７９が設けられる。この化粧枠７９は、ケース３９より突出してユニット３３の隠蔽部６９を覆うものとすることができる。すなわち、隠蔽部６９は、扉面１９から突出する位置に配置されていても、この化粧枠７９により覆うことができる。これにより、化粧枠７９を扉面１９から突出して配置することにより、ユニット３３を扉１３の内方に大きく後退させて収容させずに隠蔽部６９を覆うことができる。すなわち、扉１３に対しての加工を小さくすることができる。
【００１７】
この施解錠装置によれば、ユニット３３を後退させるための空間を化粧枠７９内に構成でき、このことから、厚さの薄い扉１３に対しても構成させることができるとともに、扉１３に対しての加工を小さくすることができ、ユニット３３の配置を容易にすることができる。
【００１８】
さらに、本発明の施解錠装置１１は、前記電気的接点７１が、前記ユニット３３に内蔵される制御装置に接続されて前記制御装置に対しての前記電気信号の送信および受信の少なくとも一方を可能とするコネクタ７１であることとしてもよい。
【００１９】
この施解錠装置１１では、隠蔽部６９に設けられる電気的接点が、ユニット３３に内蔵される、或いは接続される制御装置に対しての通電、例えば電源の供給や制御信号の送受、データの送受信等が可能なコネクタ７１となる。これにより、ユニット３３を引き出し、表出したコネクタ７１を介して制御装置に対して容易に有線接続することができるようになる。
【００２０】
この施解錠装置によれば、ユニット３３を引き出すことで、今まで隠れていた隠蔽部６９のコネクタ７１を介してユニット３３の制御装置に有線接続し、電源の供給や、制御信号の送受、データの送受信を可能にできる。
【発明の効果】
【００２１】
本発明に係る請求項１記載の施解錠装置によれば、シリンダ錠も無く鍵孔も不要な構成となることから、扉の表面にはレバーハンドルなどの操作部材とユニットの表面のみとなり、鍵孔やエスカチオンの存在を不要として、扉の意匠性を向上させることが可能となる。また、電気錠としての電源である電池の電池切れが起きた場合や、停電など電源供給が不能な状態であっても電気的接点を表出させることで解錠操作等させること、すなわち電気錠を駆動させることが可能となる。
【００２２】
本発明に係る請求項２記載の施解錠装置によれば、ケースを介してユニットを扉に取り付けでき、扉に対するユニットの取り付けを容易にできる。
【００２３】
本発明に係る請求項３記載の施解錠装置によれば、電気的接点を介して電源の供給を行うことができることから、ユニットに対して給電を行いながら、カード認証（制御信号送受）などを行えるようになり、単なる電源供給だけではなく、電気錠としての解錠操作を確実に使用者の解錠とすることができる。
【図面の簡単な説明】
【００２４】
【図１】本発明の実施形態に係る施解錠装置を備える扉の斜視図である。
【図２】図１に示した扉の要部断面図である。
【図３】図２に示した施解錠装置の一部分を切り欠いた斜視図である。
【図４】図３に示した付勢部材の斜視図である。
【図５】ユニットを背面側から見た斜視図である。
【図６】ユニットが引っ張り出された状態の扉一部分の縦断面図である。
【図７】ユニットが引っ張り出された状態の扉一部分の斜視図である。
【図８】フロント板を外した扉木口の分解斜視図である。
【図９】揺動構造で支持される変形例に係るユニットの側面図である。
【図１０】ケースが枠体を有する変形例に係る施解錠装置の平断面図である。
【図１１】ユニットの側面前部に凹部が形成される変形例に係るユニットの平面図である。
【図１２】化粧枠にユニットの隠蔽側面が隠れる変形例に係る施解錠装置の平断面図を（ａ）に同ユニットが引っ張り出された状態の平断面図を（ｂ）に示した図である。
【発明を実施するための形態】
【００２５】
以下、本発明に係る実施形態を図面を参照して説明する。
図１は本発明の実施形態に係る施解錠装置を備える扉の斜視図である。
本実施形態に係る施解錠装置１１は、扉１３に取り付けられる。扉１３は、吊元１５と反対側が開扉端側の木口面１７となる。扉１３の例えば室外側となる扉面１９には、操作部材である例えばレバーハンドル２１が取り付けられる。レバーハンドル２１は、回転や揺動などの操作が行われ、扉１３に内蔵される施解錠機構部２３に操作力を入力させることにより、ラッチボルト２５を連動させて進退させる。木口面１７には上部フロント板２７と、下部フロント板２９とが、着脱自在に取り付けられる。下部フロント板２９は、上記ラッチボルト２５を貫通させる。
【００２６】
この下部フロント板２９には、ラッチボルト２５の下方で、デッドボルト３１を貫通配置させる。デッドボルト３１は、施解錠機構部２３により進退される。施解錠機構部２３は、扉１３の内部に取り付けられて電気信号に基づき施解錠駆動される。デッドボルト３１は、下部フロント板２９から進出することで閉扉時に対向する不図示の扉枠のストライクに進入される。扉１３は、デッドボルト３１が突出駆動されて、ストライクに進入することにより施錠状態となり、後退駆動されてストライクから抜去されることにより解錠状態となる。
【００２７】
本実施形態に係る施解錠装置１１は、上記の施解錠機構部２３と、ユニットと、電気的接点と、を有する。
【００２８】
図２は図１に示した扉の要部断面図、具体的にはユニットが配置される位置である上部フロント板２７部分の縦断面図である。
ユニットは、本実施形態において、カードリーダーなどのリーダー３３である場合を例に説明する。以下、ユニットをリーダー３３と称す。なお、ユニットは、リーダー３３に限定されない。リーダー３３は、扉１３の室外側の扉面１９に前面３５及び側面前部３７を表出する。リーダー３３は、扉面１９から突出する方向に進退自在となって扉１３に支持される。このリーダー３３は、施解錠機構部２３に対して電気信号の送受を行う。
【００２９】
リーダー３３は、ケース３９により、進退自在に支持される。ケース３９は、基板４１等を備えた電装部４３を有する。この電装部４３には、電源となる電池ボックス４５の不図示の電源線が接続される。本実施形態では、ケース３９が、扉１３に形成されたリーダー取付穴４７の背部に取り付けられる。このケース３９に案内されて進退自在となったリーダー３３は、背面に、後退方向に突出する杆部４９を有する。この杆部４９は、進退方向に長い長穴５１を有している。この長穴５１には、付勢部材であるバネ５３の一端が係合する。
【００３０】
図３は図２に示した施解錠装置の一部分を切り欠いた斜視図である。
バネ５３には、つる巻きバネ５３を用いることができる。バネ５３は、他端がフロント裏板６３のスリット穴５５に支持されることにより、長穴５１に挿入された一端が杆部４９を介してリーダー３３を後退方向に付勢する。
【００３１】
すなわち、リーダー３３は、ケース３９を介して扉１３との間に設けられたバネ５３により後退方向に付勢される。
【００３２】
図４は図３に示した付勢部材の斜視図である。
このバネ５３は、一端が、傾斜部５７となり、他端がコ字形状に折り曲げられ上下で対を構成するピン部５９となる。傾斜部５７とピン部５９との間には、バネ本体部６１が巻回される。傾斜部５７は、長穴５１への挿入を容易とする。ピン部５９は、フロント裏板６３に形成された上記のスリット穴５５に係合される。本実施形態では、このバネ５３は、ケース３９に形成された支持空間４０内にバネ本体６１が位置し、ケース３９奥方に向けて傾斜部５７が延出し、その先端がケース３９にスリット状に形成される案内部８３内を移動自在とされるユニット３３杵部４９を貫通して長穴５１に係合する。
【００３３】
図８はフロント板を外した扉木口の分解斜視図である。
バネ５３は、フロント裏板６３のスリット穴５５に係合するピン部５９が、フロント裏板６３に取り付けられる上部フロント板２７により覆われる。バネ５３のピン部５９は、図３に示すように、ケース３９の装着穴８５とフロント裏板６３のスリット穴５５を貫通する。装着穴８５とスリット穴５５を貫通するピン部５９によって、それぞれが縦長な穴であり、ピン部５９が上下一対であることで、歪むことなく扉１３の奥行方向に進退可能となり、扉１３に固定ビス６５で固定されるフロント裏板６３に対するユニット３３の位置決めが行われる。バネ５３は、図８に示すように、フロント上板２７を取り外すことでピン部５９にアクセス可能となり、フロント裏板６３に対してバネ５３の進退が可能となって、この抜脱により、ユニット３３の杆部４９への傾斜部５７の抜脱が可能となり、すなわち、バネ５３の進退操作でケース３９に対するユニット３３の脱着を可能としている。
【００３４】
図５はユニットを背面側から見た斜視図である。
リーダー３３は、前面３５が扉面１９に表出した状態で取り付けられている。このリーダー３３の側面には、進退方向に向かって厚み方向の略半分の位置に、全周に渡ってフランジ部６７が張り出している。リーダー３３は、このフランジ部６７を境に進出側が側面前部３７となり、後退側が隠蔽部としての隠蔽側面６９となる。側面前部３７は、略方形状とされるとともに、上下縁部は緩やかな曲面で形成され、左右縁部はややエッジを有するような稜線部分を備える形状とされる。フランジ部６７は、バネ５３による付勢力でリーダー３３が後退した際、リーダー取付穴４７の周囲に当接して、リーダー取付穴４７の周縁を覆う。従って、フランジ部６７は、リーダー３３の化粧部材と、動作終端のストッパとの両方として働く。
【００３５】
この隠蔽側面６９には、電気的接点が設けられている。電気的接点は、本実施形態において、コネクタ７１である場合を例に説明する。なお、電気的接点は、コネクタ７１に限定されない。コネクタ７１は、扉面１９からリーダー３３が引き出されることにより表出する。すなわち、コネクタ７１は、リーダー３３の側面前部３７よりも奥側の隠蔽側面６９に配置されている。このコネクタ７１は、電気信号を送受する不図示の電気回路に接続される。
【００３６】
コネクタ７１は、本実施形態ではリーダー３３に給電するための電源線に接続される。また、コネクタ７１は、リーダー３３に内蔵される不図示の制御装置に接続されて、制御装置に対しての電気信号の送信および受信の少なくとも一方を可能とする。すなわち、コネクタ７１は、制御装置に対しての通電である電源の供給、制御信号の送受、データの送受信を可能とすることができる。
なお、図５中、杆部４９上方の穴８７は、ユニット３３内の電気回路基板等とケース３９内の基板４１とを接続するケーブル等が貫通配置する。
【００３７】
次に、上記した構成の作用を説明する。
図６はユニットが引っ張り出された状態の扉一部分の縦断面図、図７はユニットが引っ張り出された状態の扉一部分の斜視図である。
本実施形態に係る施解錠装置１１では、リーダー３３により施解錠機構部２３の施解錠駆動が可能となるので、図１に示すように、鍵孔を扉面１９に表出させる必要がなくなり、スッキリとしたデザインが可能となる。
【００３８】
また、鍵孔を覆う蓋体等も不要となる。電池切れ時や、停電時には、図６，図７に示すように、リーダー３３を扉面１９から手前に引き出し、表出させた隠蔽側面６９のコネクタ７１にプラグ８１を挿し、これを介して電気信号や電源を送り、施解錠機構部２３を解錠可能な状態にできる。リーダー３３は、引き出すことにより隠蔽側面６９のコネクタ７１のみを表出させるので、損傷の生じやすい基板４１やアンテナ等の電子部品を表出させずに済む。また、これらを覆う別体の蓋やカバーも必要ないので、カバーを紛失することもない。
【００３９】
そして、施解錠装置１１では、リーダー３３がケース３９に取り付けられることから、リーダー３３を進退させる構造を、リーダー３３とケース３９との間に形成することができる。そのため、扉１３に対してリーダー３３を進退させる構造を設ける必要がなくなる。これにより、扉面１９に対して進退自在なリーダー３３を、容易に扉１３に取り付けできる。その結果、ケース３９を介してリーダー３３を扉１３に取り付けでき、扉１３に対するリーダー３３の取り付けを容易にできる。
【００４０】
また、施解錠装置１１では、扉面１９に対して進退自在となるリーダー３３が、バネ５３の付勢力により、隠蔽側面６９が隠れる後退位置に保持される。この後退位置に保持されたリーダー３３は、表出している側面前部３７が手指等により摘まれる或いは掴まれることで付勢力に抗して手前に引っ張られることにより、隠蔽側面６９が表出可能となる。図７に示す例では、リーダー３３の左右側縁部分を一方の手指にて両側から摘み持ち、引き出し、他方の手指（図示せず）にてプラグ８１を差し込む。手前に引き出されたリーダー３３は、手指等による挟持を解除すれば、再び後退位置となり、隠蔽側面６９が隠れることになる。その結果、通常状態でリーダー３３の隠蔽側面６９を扉１３内方に配置させることができ、簡素な構造でコネクタ７１に対する誤接触や悪戯等を抑制できる。
【００４１】
さらに、施解錠装置１１では、電池切れや停電時における施解錠機構部２３の作動停止に対し、電源線に直接給電することが可能となる。この給電は、リーダー３３或いは施解錠機構部２３へ電源を供給するのみとすることができる。すなわち、不用意に施解錠機構部２３が解錠動作となることがない。従って、使用者の解錠操作によらなければ、解錠されることがない。つまり、電池切れや停電により作動停止状態となっていたカード認証機能等を復活させて、施解錠動作が正常に行える状態に戻すことができる。その結果、給電を行いながら、カード認証（制御信号送受）などを行えるようになり、確実に使用者の解錠とすることができる。
【００４２】
また、施解錠装置１１では、隠蔽側面６９に設けられる電気的接点が、リーダー３３の制御装置に対しての通電、例えば電源の供給や制御信号の送受、データの送受信等が可能なコネクタ７１となる。これにより、リーダー３３を引き出し、表出したコネクタ７１を介して制御装置に対して容易に有線接続することができるようになる。その結果、リーダー３３を引き出すことで、今まで隠れていた隠蔽側面６９のコネクタ７１を介してリーダー３３の制御装置に有線接続し、電源の供給や、制御信号の送受、データの送受信を可能にできる。
【００４３】
次に、上記構成の変形例を説明する。
図９は揺動構造で支持される変形例に係るユニットの側面図である。
この変形例に係る施解錠装置１１は、リーダー３３の上部が、水平方向の支軸７３により揺動自在に支持される。リーダー３３は、下部の側面前部３７を手前に引き出すことによりコネクタ７１を表出させることができる。この場合、支軸７３は、扉１３に設けられても、ケース３９に設けられてもよい。
この変形例に係る施解錠装置１１によれば、支軸７３のみの簡素な構造でリーダー３３を進退自在に取り付けることができる。
また、この支軸７３の構成においても、付勢部材（バネ）を具備させることで、コネクタ７１を通常時に隠しておき、使用するには揺動して引き出すようにしてもよい。
【００４４】
図１０はケースが枠体を有する変形例に係る施解錠装置の平断面図である。
この変形例に係る施解錠装置１１は、ケース３９に枠体７５が取り付けられる。枠体７５は、内方でリーダー３３を進退自在に案内する。また、枠体７５は、リーダー取付穴４７の周縁を覆う。
この変形例に係る施解錠装置１１によれば、枠体７５により比較的大きなリーダー取付穴４７とリーダー３３とのクリアランス（隙間）を隠すことができ、取付施工を容易にできる。また、ケース３９内部を枠体７５にて覆うことが可能となる。
【００４５】
図１１はユニットの側面前部に凹部が形成される変形例に係るユニットの平面図である。
この変形例に係る施解錠装置１１は、リーダー３３の側面前部３７に、凹部７７が形成される。凹部７７は、側面前部３７の両側に形成される。
この変形例に係る施解錠装置１１によれば、リーダー３３を摘みやすくして、凹部７７にて指を掛けやすくでき、引き出しを容易にすることができる。
【００４６】
図１２は化粧枠にユニットの隠蔽側面が隠れる変形例に係る施解錠装置の平断面図である。
この変形例に係る施解錠装置１１は、ケース３９に化粧枠７９が形成され、化粧枠７９がユニットの隠蔽側面６９を覆う。
【００４７】
この施解錠装置１１では、リーダー３３を進退自在に支持するケース３９に、化粧枠７９が設けられる。この化粧枠７９は、ケース３９より突出してリーダー３３の隠蔽側面６９を覆うものとすることができる。すなわち、隠蔽側面６９は、扉面１９から突出する位置に配置されていても、この化粧枠７９により覆うことができる。
この施解錠装置１１によれば、化粧枠７９を扉面１９から突出して配置することにより、リーダー３３を扉１３の内方に大きく後退させて収容させずに隠蔽側面６９を覆うことができる。その結果、リーダー３３の後退空間を小さくして、厚みの薄い扉１３に対しても取り付けを容易にすることができる。
また、リーダー取付穴４７を杆部４９のみが貫通する小さな穴とすることができ、扉１３に対しての加工が小さく済み、施工が容易となる。
【００４８】
従って、本実施形態に係る施解錠装置１１によれば、扉１３の扉面１９には、リーダー３３とレバーハンドル２１などの操作部材のみとなり、それらが互いに近接した位置でなくても機能可能であり、扉１３の意匠性を向上させながら、非常時などの電池切れでの解錠を可能とし、しかも、紛失の生じ易い別体のカバーも不要にできる。
【００４９】
本発明は上記の実施の形態に限定されるものではなく、実施の形態の各構成を相互に組み合わせることや、明細書の記載、並びに周知の技術に基づいて、当業者が変更、応用することも本発明の予定するところであり、保護を求める範囲に含まれる。
【００５０】
例えば、上記の構成例では、手を用いて引っ張りだす操作方法を例に説明したが、隠蔽側面６９を表出させる方法としては、治具などを使用する構造としてもよい。例えば、治具としては、フランジ部６７と扉面１９との間に差し込む薄板状の先端を備えるとともに、このフランジ部６７と扉面１９との間でこじるような操作をすることで間隔を開かせるような、例えばマイナスドライバー状、或いはヘラ等の形状の工具、いわゆるこじ開けヘラなど、さらには隙間を拡幅するような機構構造などを具備するものである。このような治具等を使用することで、容易に隠蔽側面６９が表出させることが困難となり、コネクタ７１を使用する専任者のみが引っ張りだすことが可能となる構成とすることができる。また、上記の構成例では、手で引き出す構成を例に説明したが、ユニットは、ノック式ボールペンやオルタネイト動作スイッチのように、押して出る、押して引っ込む、という進退機構を備えるものであってもよく、さらには、扉面１９に平行な方向で回転、すなわちドアノブと同方向の回転を行うことで迫り出す円筒カムのような構造をリーダーとケースとの間に採用することも可能である。また、リーダー３３の外形状についても、上記した略方形状に限定されず、楕円形や瓢箪形などとしてもよい。
【符号の説明】
【００５１】
１１…施解錠装置
１３…扉
１９…扉面
２３…施解錠機構部
３３…ユニット（リーダー）
３５…前面
３７…側面前部
３９…ケース
５３…付勢部材（バネ）
６９…隠蔽部（隠蔽側面）
７１…電気的接点（コネクタ）
７９…化粧枠
【手続補正２】
【補正対象書類名】特許請求の範囲
【補正対象項目名】全文
【補正方法】変更
【補正の内容】
【特許請求の範囲】
【請求項１】
扉に取り付けられて電気信号に基づき施解錠駆動される施解錠機構部と、
前記扉の扉面に前面を表出するとともに、前記扉面から突出する方向に進退自在となって前記扉に支持され、前記電気信号の送受を行うユニットと、
前記扉面から前記ユニットが突出することにより表出する前記ユニットの隠蔽部に取り付けられて前記電気信号を送受する電気回路に接続される電気的接点と、
を具備することを特徴とする施解錠装置。
【請求項２】
前記ユニットが、ケースを介して前記扉に取り付けられ、
扉面から前記ユニットが突出することにより前記隠蔽部が前記ケースから表出することを特徴とする請求項１記載の施解錠装置。
【請求項３】
前記電気的接点が、前記ユニットに給電する電源に接続されることを特徴とする請求項１または２に記載の施解錠装置。